(57)【要約】      （修正有）【課題】低温蒸気ホルムアルデヒド滅菌処理とホルムアルデヒドガス滅菌処理との両方で使用できるホルムアルデヒド滅菌用インジケータを提供する。【解決手段】ホルムアルデヒド滅菌用インジケータ１６は、ホルムアルデヒドと接触して変色する変色成分としてヒドラジン化合物、ピリミジン化合物、有機酸、スルファニル酸、4-アセトアミド安息香酸、アミノ安息香酸、アミノナフトールスルホン酸、アミノナフタレンスルホン酸、アミノトルエンスルホン酸、アミノ酢酸、アミノニコチン酸、アミノナフトエ酸、アミノヒドロキシ安息香酸、アミノフェニル酢酸、アミノプロピオン酸から選ばれるアミノ化合物が含有され、被滅菌物をホルムアルデヒド含有水蒸気に暴露する低温蒸気ホルムアルデヒド滅菌処理とホルムアルデヒドガスに暴露するホルムアルデヒドガス滅菌処理との両滅菌処理に使用され、前記被滅菌物の滅菌が終了したとき、前記変色成分が変色する。【選択図】図１
2014235030.tif 000002
【特許請求の範囲】
【請求項１】
ホルムアルデヒドと接触して変色する変色成分として、少なくともヒドラジン化合物と、ピリミジン化合物と、有機酸と、スルファニル酸、4-アセトアミド安息香酸、アミノ安息香酸、アミノナフトールスルホン酸、アミノナフタレンスルホン酸、アミノトルエンスルホン酸、アミノ酢酸、アミノニコチン酸、アミノナフトエ酸、アミノヒドロキシ安息香酸、アミノフェニル酢酸及びアミノプロピオン酸から選ばれるアミノ化合物とが含有され、
被滅菌物をホルムアルデヒド含有水蒸気に暴露する低温蒸気ホルムアルデヒド滅菌処理とホルムアルデヒドガスに暴露するホルムアルデヒドガス滅菌処理との両滅菌処理に使用され、前記被滅菌物の滅菌が終了したとき、前記変色成分が変色することを特徴とするホルムアルデヒド滅菌用インジケータ。
【請求項２】
前記変色成分は、その組成比が前記ヒドラジン化合物２〜３０重量部、前記ピリミジン化合物１〜２０重量部、前記有機酸１〜２０重量部及び前記アミノ化合物１〜２０重量部であることを特徴とする請求項１に記載のホルムアルデヒド滅菌用インジケータ。
【請求項３】
前記変色成分が、滅菌バッグの外側に形成されたインキ層に含有されていることを特徴とする請求項１又は請求項２に記載のホルムアルデヒド滅菌用インジケータ。
【請求項４】
前記変色成分が、滅菌カードの基材とラミネートフィルムとの間に形成されたインキ層に含有されていることを特徴とする請求項１又は請求項２に記載のホルムアルデヒド滅菌用インジケータ。
【発明の詳細な説明】
【技術分野】
【０００１】
本発明は、医療機器等の被滅菌物に滅菌を施すホルムアルデヒド滅菌処理に使用されるホルムアルデヒド滅菌用インジケータに関するものである。
【背景技術】
【０００２】
医療機器等の被滅菌物の滅菌処理として、ホルムアルデヒドを用いた滅菌処理が採用されている。この滅菌処理には、ホルムアルデヒド含有水蒸気に被滅菌物を暴露する低温蒸気ホルムアルデヒド滅菌処理と、ホルムアルデヒドガスに被滅菌物を暴露するホルムアルデヒドガス滅菌処理とがある。これらの滅菌処理では、滅菌が終了したとき、被滅菌物がホルムアルデヒドと十分に接触して滅菌されたことを作業者等が認識できるように、それぞれ専用のホルムアルデヒド滅菌用インジケータが用いられる。例えば、特許文献１に、クロモトロプ酸２ナトリウムを含有するホルムアルデヒドガス滅菌処理完了確認用のインキ組成物が開示され、特許文献２に、コンゴーレッド等の有機染料を含有する低温蒸気ホルムアルデヒド滅菌処理完了確認用の化学指示薬インクが開示されている。
【０００３】
しかし、これらは、単独で、他方の滅菌処理の完了を確認できない。低温蒸気ホルムアルデヒド滅菌処理とホルムアルデヒドガス滅菌処理との各々で専用のホルムアルデヒド滅菌用インジケータを用いることは煩雑であり、ホルムアルデヒド滅菌用インジケータの管理が複雑化する。
【先行技術文献】
【特許文献】
【０００４】
【特許文献１】特開平９−２６４２０号公報
【特許文献２】特開２００３−２２２６２０号公報
【発明の概要】
【発明が解決しようとする課題】
【０００５】
本発明は前記の課題を解決するためになされたもので、低温蒸気ホルムアルデヒド滅菌処理とホルムアルデヒドガス滅菌処理との両滅菌処理で用いることのできるホルムアルデヒド滅菌用インジケータを提供することを目的とする。
【課題を解決するための手段】
【０００６】
前記の目的を達成するためになされた、特許請求の範囲の請求項１に記載されたホルムアルデヒド滅菌用インジケータは、ホルムアルデヒドと接触して変色する変色成分として、少なくともヒドラジン化合物と、ピリミジン化合物と、有機酸と、スルファニル酸、4-アセトアミド安息香酸、アミノ安息香酸、アミノナフトールスルホン酸、アミノナフタレンスルホン酸、アミノトルエンスルホン酸、アミノ酢酸、アミノニコチン酸、アミノナフトエ酸、アミノヒドロキシ安息香酸、アミノフェニル酢酸及びアミノプロピオン酸から選ばれるアミノ化合物とが含有され、被滅菌物をホルムアルデヒド含有水蒸気に暴露する低温蒸気ホルムアルデヒド滅菌処理とホルムアルデヒドガスに暴露するホルムアルデヒドガス滅菌処理との両滅菌処理に使用され、前記被滅菌物の滅菌が終了したとき、前記変色成分が変色することを特徴とするものである。
【０００７】
請求項２に記載されたホルムアルデヒド滅菌用インジケータは、請求項１に記載されたものであって、前記変色成分は、その組成比が前記ヒドラジン化合物２〜３０重量部、前記ピリミジン化合物１〜２０重量部、前記有機酸１〜２０重量部及び前記アミノ化合物１〜２０重量部であることを特徴とする。
【０００８】
請求項３に記載されたホルムアルデヒド滅菌用インジケータは、請求項１又は請求項２に記載されたものであって、前記変色成分が、滅菌バッグの外側に形成されたインキ層に含有されていることを特徴とする。
【０００９】
請求項４に記載されたホルムアルデヒド滅菌用インジケータは、請求項１又は請求項２に記載されたものであって、前記変色成分が、滅菌カードの基材とラミネートフィルムとの間に形成されたインキ層に含有されていることを特徴とする。
【発明の効果】
【００１０】
本発明のホルムアルデヒド滅菌用インジケータによれば、低温蒸気ホルムアルデヒド滅菌処理及びホルムアルデヒドガス滅菌処理との両滅菌処理で使用でき、作業者は被滅菌物がホルムアルデヒドガスと十分に接触して滅菌されたことを確認できる。また、本発明のホルムアルデヒド滅菌用インジケータは、両滅菌処理で使用できることから、インジケータの管理を簡素化できる。
【図面の簡単な説明】
【００１１】
【図１】本発明のホルムアルデヒド滅菌用インジケータを用いた滅菌バッグの一例を示す斜視図である。
【図２】図１に示す滅菌バッグのホルムアルデヒド滅菌用インジケータの部分拡大断面図である。
【図３】本発明のホルムアルデヒド滅菌用インジケータを用いた滅菌カードの他の例を示す正面図である。
【図４】図３に示す滅菌カードのホルムアルデヒド滅菌用インジケータの部分拡大断面図である。
【発明を実施するための形態】
【００１２】
以下、本発明を実施するための形態を詳細に説明するが、本発明の範囲はこれらの形態に限定されるものではない。
【００１３】
本発明のホルムアルデヒド滅菌用インジケータ（以下、単にインジケータと称する）を用いた滅菌バッグの一例を図１に示す。図１に示す滅菌バッグ１０は、多層フィルム１２と滅菌紙１４とが周縁部で熱融着された袋状体である。多層フィルム１２は、図２に示すようにフィルム１２ａとフィルム１２ｃとがラミネート層１２ｂで貼り合わされて一体化されている。フィルム１２ａは、厚さ５〜２０μｍ、更に好ましくは８〜１５μｍのポリエチレンテレフタレートフィルムを好適に用いることができる。また、フィルム１２ｃは、厚さ１５〜１００μｍ、更に好ましくは２０〜４０μｍの透明な無延伸ポリプロピレンフィルムを用いることが好ましい。
【００１４】
多層フィルム１２の周縁部で熱融着された滅菌紙１４には、その表面側の略中央部にインジケータとしてのホルムアルデヒド滅菌用インジケータインキ層１６（以下、インキ層１６と称する）が円形状に形成されている。
【００１５】
インキ層１６には、ホルムアルデヒドガスと接触して変色する変色成分として、少なくともヒドラジン化合物と、ピリミジン化合物と、有機酸と、スルファニル酸、4-アセトアミド安息香酸、アミノ安息香酸、アミノナフトールスルホン酸、アミノナフタレンスルホン酸、アミノトルエンスルホン酸、アミノ酢酸、アミノニコチン酸、アミノナフトエ酸、アミノヒドロキシ安息香酸、アミノフェニル酢酸、およびアミノプロピオン酸から選ばれるアミノ化合物とを含有している。
【００１６】
ヒドラジン化合物としては、例えば塩酸ヒドラジン、硫酸ヒドラジン、安息香酸ヒドラジン、カルバジン酸、アセトヒドラジド、ベンズヒドラジド、イソニコチン酸ヒドラジド、2,4-ジニトロフェニルヒドラジド、マレイン酸ヒドラジド、イソフタル酸ヒドラジド、p-トルエンスルホニルヒドラジドが使用できる。
【００１７】
ピリミジン化合物としては、例えば４-アミノ−５-アミノメチル−２-メチルピリミジンジクロライド、４-アミノ−６-クロロ−２-メルカプトピリミジン、２-アミノ−４-クロロ−６-メチルピリミジン、２-アミノ−６-クロロ−４-ピリミジノール、２-アミノ−４，６-ジクロロピリミジン、２-アミノ−４，６-ジヒドロキシピリミジン、４-アミノ−２，６-ジヒドロキシピリミジン、２-アミノ−４，６-ジメチルピリミジン、４-アミノ−６-ヒドロキシ−２-メルカプトピリミジン、２-アミノ−４-ヒドロキシ−６-メチルピリミジン、４-アミノ−２-メルカプトピリミジン、２-アミノ−４-メチルピリミジン、２-アミノ−５-ニトロピリミジン、２-アミノピリミジン、４-アミノピリミジン、４-クロロ−２，６-ジアミノピリミジン、６-クロロ−２，４-ジメトキシピリミジン、４-クロロ−２-メチルチオピリミジン、２-クロロピリミジン、５，６-ジアミノ−２，４-ジヒドロキシピリミジン、２，４-ジアミノ−６-ヒドロキシピリミジン、２，４-ジアミノ−６-メルカプトピリミジン、４，５-ジアミノピリミジン、２，４-ジクロロ−６-メチルピリミジン、４，６-ジクロロ−２-メチルチオ−５-フェニルピリミジン、４，６-ジクロロ−５-ニトロピリミジン、２，４-ジヒドロキシ−５，６-ジメチルピリミジン、４，６-ジヒドロキシ−２-メルカプトピリミジン、４，６-ジヒドロキシ−2-メチルメルカプトピリミジン、２，４-ジヒドロキシ−６-メチルピリミジン、４，６-ジヒドロキシ−５-ニトロピリミジン、４，６-ジヒドロキシピリミジン、２，４-ジヒドロキシピリミジン−５-カルボン酸、２，４-ジメチル−６-ヒドロキシピリミジン、４，６-ジメチル−２-ヒドロキシピリミジン、４，６-ジメチル−２-メルカプトピリミジン、２-ヒドロキシ−４-メチルピリミジン塩酸塩、４-ヒドロキシピラゾロ[３，４d]ピリミジン、２，４，５-トリアミノピリミジン、２-メルカプトピリミジン、５-ニトロ−４，６-トリアミノピリミジンが使用できる。
【００１８】
有機酸としては、例えばマレイン酸、安息香酸、フタル酸、フマル酸、クエン酸、マロン酸、没食子酸、サリチル酸、コハク酸、リンゴ酸、酒石酸およびこれらの各種誘導体や金属塩に加え、スルホサリチル酸ソーダ、ｐ-トルエンスルホン酸や３-ヒドロキシ−２-ナフトエ酸が使用できる。
【００１９】
アミノ化合物としては、例えばスルファニル酸、４-アセトアミド安息香酸、アミノ安息香酸、アミノナフトールスルホン酸、アミノナフタレンスルホン酸、アミノトルエンスルホン酸、アミノ酢酸、アミノニコチン酸、アミノナフトエ酸、アミノヒドロキシ安息香酸、アミノフェニル酢酸、アミノプロピオン酸が使用できる。
【００２０】
これらの変色成分は、それぞれ単独で使用するとは限らず二種以上組み合わせて使用してもよい。
【００２１】
また、必要に応じ、発色増強剤として上述した変色成分以外の窒素化合物、例えばサリチル酸アンモニウム若しくは硫酸アンモニウムなどのアンモニウム塩類、塩酸エチルアミン若しくはアミノフェノール等のアミン類、ベンゼンスルホンアミド若しくはニコチン酸アミドなどのアミド類、１，２，４-トリアゾール若しくは２-メルカプトベンゾチアゾール等の環状構造を持つ窒素化合物、又は上述した変色成分以外の有機硫黄化合物、例えばジペンタメチレンチウラムテトラスルフィド、２，２’−ジベンゾチアゾリルジスルフィド、Ｌ−シスチン若しくは２，２’−ジトリルチオ尿素などのチオ尿素化合物を添加してもよい。
【００２２】
上述した変色成分の組成比は、ヒドラジン化合物２〜３０重量部、ピリミジン化合物１〜２０重量部、有機酸１〜２０重量部及びアミノ化合物１〜２０重量部とすることが好ましい。
【００２３】
これらの変色成分を含有するインキ層１６は、樹脂を溶剤に溶解したインキ用ビヒクルに所定の変色成分を分散した印刷用インキを滅菌紙１４の一面側に印刷して形成できる。樹脂としては、インジケータとしての変色性を損なわないもの、例えばメチルセルロース、エチルセルロース、ニトロセルロース、ブチラール樹脂、アクリル酸エステル樹脂、ポリエステル樹脂、ポリアミド樹脂、マレイン酸樹脂、スチレン樹脂、合成ゴム系樹脂が使用できる。溶剤は、これらの樹脂を完全に溶解するもので、例えば水、アルコール類、セロソルブ類、芳香族炭化水素類、石油類、エステル類、ケトン類を主成分とする溶剤をビヒクルの樹脂種と印刷方式に応じて使用できる。
【００２４】
また、インキ用ビヒクルとして、例えばアルコール類、セロソルブ類、石油類、エステル類、ケトン類、芳香族炭化水素類を主溶剤とした市販品を使用してもよい。更に、得られたインキには印刷適正向上のための沈降防止剤、増粘剤および界面活性剤等の各種添加物を加えてもよい。
【００２５】
上述した変色成分をインキ用ビヒクルに分散した印刷用インキは、変色成分とインキ用ビヒクルとをボールミル、ロールミル、サンドミル、ライカイ機等の分散機を用いて混合して得ることができる。印刷用インキとしては、例えばグラビア印刷用インキ、スクリーン印刷用インキ、フレキソ印刷用インキとすることができる。得られた印刷用インキを滅菌紙１６の一面側に円形状に印刷して、インジケータとしてのインキ層１６を形成する。印刷としては、例えばグラビア印刷、スクリーン印刷、フレキソ印刷を採用できる。次いで、滅菌紙１６と多層フィルム１２とを、滅菌紙１６の他面側と多層フィルム１２との一面側とが対向するように重ね合せた後、三方をヒートシーラで熱融着して開口部が一方に形成された滅菌バッグ１０を得ることができる。この滅菌バッグ１０の開口部から被滅菌物を挿入し、開口部を熱融着して被滅菌物を封入する。
【００２６】
このように被滅菌物が封入された滅菌バッグ１０を低温蒸気ホルムアルデヒド滅菌処理に供する。低温蒸気ホルムアルデヒド滅菌処理は、密閉可能な滅菌室内に滅菌バッグ１０を封入した後、ホルムアルデヒド水溶液（ホルムアルデヒドの濃度２％）を超音波等で水蒸気化したホルムアルデヒド含有水蒸気を滅菌室に導入し、滅菌室内の湿度を８０％ＲＨ以上、室内温度を５５℃に維持しつつ４５分間保持して滅菌処理を施す。次いで、滅菌室内の残留ホルムアルデヒド含有水蒸気を除去した後、滅菌バッグ１０を取り出す。取り出した滅菌バッグ１０のインジケータとしてのインキ層１６は変色している。
【００２７】
低温蒸気ホルムアルデヒド滅菌処理に供したと同一構成の滅菌バッグ１０を、ホルムアルデヒドガス滅菌処理に供することができる。ホルムアルデヒドガス滅菌処理は、密閉可能な滅菌室内に滅菌バッグ１０と、焼石膏にホルムアルデヒドを吸着させたような顆粒状ホルムアルデヒド製剤等のホルムアルデヒド発生剤とを封入した後、滅菌室内の湿度を５０〜６０％ＲＨで且つ室内温度を約５０℃程度に維持しつつ１８０分間保持して滅菌処理を施す。次いで、滅菌室内の残留ホルムアルデヒドガスを除去した後、滅菌バッグ１０を取り出す。取り出した滅菌バッグ１０のインジケータとしてのインキ層１６は変色している。
【００２８】
このように図１及び図２に示す滅菌バッグ１０のインジケータとしてのインキ層１６は、低温蒸気ホルムアルデヒド滅菌処理及びホルムアルデヒドガス滅菌処理のいずれの滅菌処理でも変色する。このことから、インジケータとしてのインキ層１６が設けられた滅菌バッグ１０を準備しておくことにより、低温蒸気ホルムアルデヒド滅菌処理及びホルムアルデヒドガス滅菌処理のいずれにも用いることができ、滅菌バッグ１０の管理を簡単化できる。
【００２９】
本発明のインジケータは、図３に示す滅菌カード２０にも適用できる。滅菌カード２０は長方形状のカードの中央部近傍に、インジケータとして楕円形状のインキ層２４が配されている。インキ層２４は滅菌バッグ１０のものと同一構成である。インキ層２４は、図４に示すように滅菌紙等の基材２６の一面側に形成され、透明なポリエチレンテレフタレートフィルムや無延伸ポリプロピレンフィルム等のラミネートフィルム２２で覆われている。
【００３０】
図３及び図４に示す滅菌カード２０は、上述した変色成分をインキ用ビヒクルに分散した印刷用インキを、滅菌紙等の基材２６の一面側に印刷してインキ層２４を形成した後、インキ層２４を形成した基材２２の一面側をラミネートフィルム２２で覆って形成できる。
【００３１】
図３及び図４に示す滅菌カード２０を用いて被滅菌物に低温蒸気ホルムアルデヒド滅菌処理を施す際には、密閉可能な滅菌室内に被滅菌物と滅菌カード２０を封入した後、滅菌室内にホルムアルデヒド含有水蒸気を滅菌室に導入する。また、滅菌カード２０を用いて被滅菌物にホルムアルデヒドガス滅菌処理を施す際には、密閉可能な滅菌室内に被滅菌物と滅菌カード２０と顆粒状ホルムアルデヒド製剤等のホルムアルデヒド発生剤とを封入する。
【００３２】
以下、本発明の実施例を詳細に説明するが、本発明の範囲はこれらの実施例に限定されるものではない。
【００３３】
（実施例１）
滅菌バッグ１０の作製
（１）印刷用インキの調製
下記表１に記載の原料をボールミルで７２時間混練して印刷用インキを調製した。
【００３４】
【表１】
2014235030.tif 000003
【００３５】
（２）滅菌バッグの製作
表１の水準Ａ〜Ｇの原料を用いて調製した各種印刷用インキを滅菌紙１４の一面側にグラビア印刷し、インジケータとしての円形状のインキ層１６を形成した。次いで、滅菌紙１６と多層フィルム１２とを、滅菌紙１６の他面側（インキ層１６の非形成面）と多層フィルム１２との一面側とが対向するように重ね合せた後、三方をヒートシーラで熱融着して開口部が一方に形成された図１に示す滅菌バッグ１０を得た。
【００３６】
（３）低温蒸気ホルムアルデヒド滅菌
表１の水準Ａ〜Ｇの原料を用いて調製した各種印刷用インキで印刷してインジケータとしてのインキ層１６を形成した各種滅菌バッグ１０に低温蒸気ホルムアルデヒド滅菌処理を施した。この低温蒸気ホルムアルデヒド滅菌処理は、ＧＥＴＩＮＧＥ社製の低温蒸気ホルムアルデヒド滅菌器（ＨＳ６６ＴｕｒｂｏＬＴＳＦ）を用いて行った。滅菌処理条件は、ホルムアルデヒド水溶液（ホルムアルデヒドの濃度２％）を超音波等で水蒸気化したホルムアルデヒド含有水蒸気を、滅菌バッグ１０を封入した滅菌室内に導入し、滅菌室内の湿度を８０％ＲＨ以上、室内温度を５５℃に維持しつつ４５分保持した。次いで、滅菌室内の残留ホルムアルデヒド含有水蒸気を除去した後に低温蒸気ホルムアルデヒド滅菌器から取り出した各種滅菌バッグ１０のインキ層１６はいずれも変色していた。
【００３７】
（４）ホルムアルデヒドガス滅菌
表１の水準Ａ〜Ｇの原料を用いて調製した各種印刷用インキで印刷してインジケータとしてのインキ層２４を形成した各種滅菌バッグ１０にホルムアルデヒドガス滅菌処理を施した。このホルムアルデヒドガス滅菌処理は、株式会社メディエート製のホルムアルデヒドガス滅菌器（エコーパルサーＰＳ−１４０Ｒ）を用いて行った。滅菌処理条件は、滅菌バッグ１０を封入した滅菌室のホルムアルデヒド濃度が２５００〜３０００ｐｐｍとなるように顆粒状ホルムアルデヒド製剤を滅菌室内に封入し、滅菌室内の湿度を５０〜６０％ＲＨで且つ室内温度を約５０℃程度に維持しつつ１８０分間保持した。次いで、滅菌室内の残留ホルムアルデヒドガスを除去した後にホルムアルデヒドガス滅菌器から取り出した各種滅菌バッグ１０のインキ層１６はいずれも変色していた。
【００３８】
（実施例２）
滅菌カードの作製
（１）印刷用インキの調製
下記表２に記載の原料をボールミルで７２時間混練して印刷用インキを調製した。
【００３９】
【表２】
2014235030.tif 000004
【００４０】
（２）滅菌カードの製作
表２の水準Ｈ〜Ｎの原料を用いて調製した各種印刷用インキを長方形状の滅菌紙２６の一面側にスクリーン印刷し、インジケータとしての楕円形状のインキ層２４を形成した。次いで、滅菌紙２６の一面側（インキ層２４の形成面）にラミネートフィルム２２を重ね合せた後、ヒートシーラで両者の全面を熱融着して図３に示す滅菌カード２０を得た。
【００４１】
（３）低温蒸気ホルムアルデヒド滅菌
表２の水準Ｈ〜Ｎの原料を用いて調製した各種印刷用インキで印刷してインジケータとしてのインキ層２４を形成した各種滅菌カード２０に、実施例１と同様に低温蒸気ホルムアルデヒド滅菌処理を施した。滅菌処理後に低温蒸気ホルムアルデヒド滅菌器から取り出した各種滅菌バッグ１０のインキ層２４はいずれも変色していた。
【００４２】
（４）ホルムアルデヒドガス滅菌
表２の水準Ｈ〜Ｎの原料を用いて調製した各種印刷用インキで印刷してインジケータとしてのインキ層２４を形成した各種滅菌カード２０に、実施例１と同様にホルムアルデヒドガス滅菌処理を施した。滅菌処理後にホルムアルデヒドガス滅菌器から取り出した各種滅菌カード２０のインキ層２４はいずれも変色していた。
【００４３】
（比較例１）
ホルムアルデヒド滅菌用インジケータとして、ｇｋｅ社製の滅菌カード（商品名：Self-adhesive package monitoring indicator）を用いた。この滅菌カードに実施例１と同様に低温蒸気ホルムアルデヒド滅菌処理とホルムアルデヒドガス滅菌処理とを施した。この滅菌カードのインク層は、低温蒸気ホルムアルデヒド滅菌処理では変色したことが認められたものの、ホルムアルデヒドガス滅菌処理では変色は認められなかった。
【００４４】
（比較例２）
ホルムアルデヒド滅菌用インジケータである滅菌カードとして、福沢商事株式会社から購入した  ＡＣＥ testバイオロジカルインジケータ付属のケミカルインジケータ（商品名：ＡＣＥ  test  バイオロジカルインジケータ（ホルマリン滅菌用）に付属しているケミカルインジケータ）を用いた。この滅菌カードに実施例１と同様に低温蒸気ホルムアルデヒド滅菌処理とホルムアルデヒドガス滅菌処理とを施した。この滅菌カードのインク層は、低温蒸気ホルムアルデヒド滅菌処理では変色したことが認められたものの、ホルムアルデヒドガス滅菌処理では変色は認められなかった。
【００４５】
（比較例３）
Ｔｅｍｐｉｌ社製のホルムアルデヒド滅菌用のインキ（商品名：Ｔｅｍｐｉｌｉｎｋ
ＴＩＦＧＦＲＧ４９２）を長方形の滅菌紙２６の一面側にフレキソ印刷し、インジケータとしての楕円形状のインキ層２４を形成した。次いで、滅菌紙２６の一面側（インキ層２４の形成面）にラミネートフィルム２２を重ね合せた後、ヒートシーラで両者の全面を熱融着して図３に示す滅菌カード２０を得た。得た滅菌カード２０に、実施例１と同様に低温蒸気ホルムアルデヒド滅菌処理とホルムアルデヒドガス滅菌処理とを施した。この滅菌カード２０のインク層２４は、低温蒸気ホルムアルデヒド滅菌処理では変色したことが認められたものの、ホルムアルデヒドガス滅菌処理では変色は認められなかった。
【産業上の利用可能性】
【００４６】
本発明のホルムアルデヒド滅菌用インジケータは、低温蒸気ホルムアルデヒド滅菌処理とホルムアルデヒドガス滅菌処理との両滅菌処理のインジケータに使用できる。
【符号の説明】
【００４７】
１０は滅菌バッグ、１２は多層フィルム、１２ａ、１２ｃはフィルム、１２ｂはラミネート層、１４、２６は滅菌紙、１６、２４はインキ層、２２はラミネートフィルムである。
【図１】
2014235030.tif 000005
【図２】
2014235030.tif 000006
【図３】
2014235030.tif 000007
【図４】
2014235030.tif 000008